(57)【要約】      （修正有）【課題】貸し手の無線通信回線を、情報管理会社が携帯端末のアプリとインターネットを使って情報収集、公開を行う広告システムを提供する。【解決手段】貸し手は、貸し手の携帯端末１で自身の管理するWiFiなどの無線通信回線の情報を入力し、インターネットを介して回線の位置情報と共に情報提供会社２へ提供するＡ。情報管理会社２は、提供された情報を借り手の携帯端末３にインターネットを介して情報を提示するＢ。借り手は、携帯端末３を使用してアプリの地図上に表示された情報や、アプリによって検知された周囲のWiFiなどの無線通信回線を選択して利用することができる。利用実績はインターネットを介して情報管理会社２のサーバーへ提供されるＣ。情報管理会社２は借り手による利用実績を自動的に集約しサーバーに保存し、貸し手が、携帯端末１で確認できるように利用実績を表示し、利用実績に応じた報酬を支払うＤ。【選択図】図１
2016062128.tif 000002
【特許請求の範囲】
【請求項１】
個人がアプリ（スマートフォンなどの携帯端末で動作するソフトウェアをアプリと称する）を使用し、個人が管理するWiFiなどの無線通信回線を広告し、他の個人が無償で利用することができるようにすることを特徴とする、インターネットを利用した技術。
【請求項２】
管理するWiFiなどの無線通信回線の貸し手が、アプリ（スマートフォンなどの携帯端末で動作するソフトウェアをアプリと称する）を使用し、借り手の利用実績を確認し、報酬を受け取れるようにする、インターネットを利用した技術。
【発明の詳細な説明】
【技術分野】
【０００１】
貸し手の無線通信回線を、情報管理会社が携帯端末のアプリとインターネットを使って情報収集、公開を行う広告システムに関する。
【背景技術】
【０００２】
専門会社によって提供されるWiFiなどの無線通信回線の多くは有償契約が必要であるが、インターネットを通じて回線を利用できる場所を調べることが出来る。しかしながら、個人によって提供されるWiFiなどの無線通信回線についての情報交換は盛んではない。
【発明の概要】
【発明が解決しようとする課題】
【０００３】
従来、WiFiなどの無線通信回線を無償で利用できる場所は限られており、無線通信回線を利用するには、サービスを提供する会社との有償契約が必要であった。一方、個人が管理するWiFiなどの無線通信回線については、貸し出せる余力があるにもかかわらず、一般への貸し出しによって利益を得ることが難しく、積極的に広告されることもなかったため、広く利用されることがなかった。そこでこの発明は、貸し手が自身の管理下にあるWiFiなどの無線通信回線について、アプリ（スマートフォンなどの携帯端末で動作するソフトウェアをアプリと称する）を通じて、借り手が無償で利用出来るように広告できるようにし、また、借り手の利用実績に応じて貸し手に報酬が支払われるようにする機能を設けることで、WiFiなどの無線通信回線の貸借利用の拡大を促進することを課題とする。
【課題を解決するための手段】
【０００４】
上記目的を達成するために、請求項１記載の発明は、貸し手がアプリ（携帯端末で動作するソフトウェアをアプリと称する）を利用し、個人が管理するWiFiなどの無線通信回線の情報を情報管理会社へ提供し、自主的に広告できるようにすることで、借り手がそれを簡便にかつ無償で利用できるようにすることを特徴とする。
【０００５】
また請求項２記載の発明は、貸し手から提供されたWiFiなどの無線通信回線が利用された実績を情報管理会社が把握し、アプリ上の広告による広告収入を主な原資として、貸し手へ報酬を支払うことをできるようにすることを特徴とする。
【発明の効果】
【０００６】
本発明によって、個人が管理するWiFiなどの無線通信回線の貸し借りが円滑に行われ、利用の促進が可能となる。
【発明を実施するための最良の形態】
【０００７】
広告の手段として情報管理会社が提供するアプリ（スマートフォンなどの携帯端末で動作するソフトウェアをアプリと称する）を用いることによって、貸し手は容易にWiFiなどの無線通信回線を広告し、借り手も容易にその回線を利用することができる。今や携帯電話やタブレット端末は多くの人が携帯しており、回線を貸借利用しようとする者が円滑に利用することが可能である。
【実施例】
【０００８】
以下に実施例を挙げ、本発明のWiFiなどの無線通信回線の個人間貸借のための広告と報酬管理システムについて、図面を参照して詳細に説明する。図１は、この発明に係わるアプリ（スマートフォンなどの携帯端末で動作するソフトウェアをアプリと称する）を使ったシステムの構成ブロック図である。図２は、貸し手が、この発明に係わるアプリが実装された貸し手の携帯端末１を使い、WiFiなどの無線通信回線情報を情報管理会社２へ提供する際の実施例の画面である。図３〜５は、借り手が、この発明に係わるアプリが実装された借り手の携帯端末３を使い、情報管理会社を通じてWiFiなどの無線通信回線を利用する際の実施例の画面である。
【０００９】
図１において、貸し手は、インターネットに繋がった状態のアプリが実装された貸し手の携帯端末１で自身の管理するWiFiなどの無線通信回線の情報を入力し、インターネットを介して回線の位置情報と共に情報提供会社２へ提供する（矢印A）。
【００１０】
その結果、情報管理会社２は提供された情報をサーバーへ自動的に保存した後、借り手が使用する、インターネットに繋がった状態のアプリが実装された借り手の携帯端末３に、インターネットを介して再提供する（矢印B）。
【００１１】
借り手は、インターネットに繋がった状態のアプリが実装された借り手の携帯端末３を使用することで、アプリの地図上に表示されたものや、アプリによって検知された周囲のWiFiなどの無線通信回線を選択して利用することができる。また、その利用実績はインターネットを介して情報管理会社２のサーバーへ提供される。（矢印C）
【００１２】
情報管理会社２はインターネットを介して得た不特定多数の借り手による利用実績を自動的に集約しサーバーに保存し、貸し手が、インターネットに繋がった状態のアプリが実装された携帯端末１で確認できるように利用実績を表示し、利用実績に応じた報酬を支払う。（矢印D）
【００１３】
図２において、アプリは、貸し手から提供されたWiFiなどの無線通信回線情報を管理するため、情報管理会社２で製作され提供されている。貸し手とWiFiなどの無線通信回線情報は、識別され情報管理会社２のサーバーを通してコンピューターで自動的に保存される。
【００１４】
図３において、本発明のアプリは、インターネットに繋がることで情報管理会社２のサーバーを通して、貸し手から提供されたWiFiなどの無線通信回線の位置情報を地図上に表示し、借り手へ広告する。借り手はこの画面で任意のWiFiなどの無線通信回線を選択し、アプリが実装された借り手の携帯端末３に保存することができる。
【００１５】
図４において、借り手は、周囲に存在するWiFiなどの無線通信回線と、アプリが実装された借り手の携帯端末３に保存されたもの、もしくは情報管理会社２のサーバーへ保存されたWiFiなどの無線通信回線を照合し、無償でインターネット接続を利用することが出来る。
【００１６】
図５において、借り手がアプリによって照合されたWiFiなどの無線通信回線を利用しインターネットへ接続している間、アプリ上に情報管理会社２が用意した広告が表示される。また、アプリは予め、情報管理会社２によって定められた利用時間が経過すると自動的に停止し、WiFiなどの無線通信回線が利用出来なくなるよう設計されているため、利用可能な残り時間が表示される。この残り時間は、借り手がアプリ上の広告を見たり、広告をクリックすることにより延長することができる。
【産業上の利用可能性】
【００１７】
情報管理会社２から貸し手への報酬は、アプリ上に表示される広告からの広告収入によって主に賄われる。この報酬により貸し手へのインセンティブが発生し利用促進が図られることになる。また、アプリを終了すると、WiFiなどの無線通信回線は利用できなくなるため、借り手の無断利用が防止される。
また、アプリ（スマートフォンなどの携帯端末で動作するソフトウェアをアプリと称する）だけではなく、パソコン上で動作するソフトウェアとして開発することも可能であり、インターネットに繋がる全ての端末で利用可能であるため、あらゆる消費者がWiFiなどの無線通信回線の貸し手、借り手となり、各々がインターネット接続にかける費用を圧縮することができる。
【図面の簡単な説明】
【００１８】
【図１】この発明に係わるアプリを使った広告システムの構成ブロック図である。
【図２】この発明に係わるアプリを実装した携帯端末におけるWiFiなどの無線通信回線情報入力画面の実施例の画面である。
【図３】この発明に係わるアプリを実装した携帯端末における地図検索画面の実施例の画面である。
【図４】この発明に係わるアプリを実装した携帯端末におけるWiFiなどの無線通信回線照合画面である。
【図５】この発明に係わるアプリを実装した携帯端末におけるWiFiなどの無線通信回線を使用したインターネットブラウザ使用画面の実施例の画面である
【符号の説明】
【００１９】
１ アプリが実装された貸し手の携帯端末
２ 情報管理会社
３ アプリが実装された借り手の携帯端末
Ａ 貸し手からのWiFiなどの無線通信回線情報の提供
Ｂ 借り手へのWiFiなどの無線通信回線情報の提供
Ｃ 借り手の利用実績
Ｄ 不特定多数の借り手の利用実績の集約情報と、貸し手への報酬の提供
【図１】
2016062128.tif 000003
【図２】
2016062128.tif 000004
【図３】
2016062128.tif 000005
【図４】
2016062128.tif 000006
【図５】
2016062128.tif 000007